(57)【要約】【課題】  展示物たるウッドクラブおよびアイアンクラブの吊持を可能にしてフック部材の絶対数を少なくすると共に、ウッドクラブまたはアイアンクラブの整列させた展示状態における美観の維持を可能にする。【解決手段】  ゴルフクラブを逆さに吊持するフック部材Ｆと、フック部材Ｆを一つまたは複数着脱自在に保持するアーム部材Ａとを備え、フック部材Ｆは、アーム部材Ａを着脱自在に連結させる連結部１を備える一方で、上端部にゴルフクラブたるウッドクラブＷのヘッドＷ１またはアイアンクラブＳのヘッドＳ１のいずれか一方を支持する一方支持部２と、ウッドクラブＷのヘッドＷ１またはアイアンクラブＳのヘッドＳ１のいずれか他方を支持する他方支持部３とを備え、下方部に一方支持部２および他方支持部３に連続して下方に向けて延設されてウッドクラブＷのシャフトＷ２またはアイアンクラブＳのシャフトＳ２を挿通させるシャフト挿通部４を備える。【選択図】  図３
2014144056.tif 000002
【特許請求の範囲】
【請求項１】
ゴルフクラブを吊持するフック部材と、このフック部材を一つまたは複数着脱自在に保持するアーム部材とを備える支持装置において、
上記フック部材は、上記アーム部材を着脱自在に連結させる連結部を備える一方で、
上端部にウッドクラブのヘッドまたはアイアンクラブのヘッドのいずれか一方を支持する一方支持部と、ウッドクラブのヘッドまたはアイアンクラブのヘッドのいずれか他方を支持する他方支持部とを備え、
下方部に上記一方支持部および上記他方支持部に連続して下方に向けて延設されてウッドクラブのシャフトまたはアイアンクラブのシャフトを挿通させるシャフト挿通部を備えることを特徴とする支持装置。
【請求項２】
上記アーム部材が基端を他部に直結させて、または、ブラケットを介して基端を他部に分離可能に連結させて、先端を基端より低くして前傾状態に、または、先端を水平に延在させて水平状態に設けられる請求項１に記載の支持装置。
【請求項３】
上記連結部が上記アーム部材の軸線方向に沿って形成されて上記アーム部材を挿通させる孔または溝を備える請求項１または請求項２に記載の支持装置。
【請求項４】
上記一方支持部における軸線方向が上記アーム部材の軸線方向に沿う方向とされ、上記他方支持部における軸線方向が上記アーム部材の軸線方向を横切る方向とされる請求項１、請求項２または請求項３に記載の支持装置。
【請求項５】
上記一方支持部がウッドクラブのヘッドのクラウン部分を着座させ、または、アイアンクラブのヘッドのトップライン部分を着座させる座部と、この座部から立ち上がりウッドクラブのヘッドのクラウンに連続するフェース部分を当接させ、または、アイアンクラブのヘッドのトップラインに連続するフェース部分を当接させるフェース当接部とを備え、
上記他方支持部がアイアンクラブのヘッドのトップライン部分を着座させ、または、ウッドクラブのヘッドのクラウン部分を着座させる座部と、この座部から立ち上がりアイアンクラブのヘッドのトップラインに連続するバックフェース部分を当接させ、または、ウッドクラブのヘッドのクラウンに連続するバックフェース部分を当接させるバックフェース当接部とを備える請求項１、請求項２、請求項３または請求項４に記載の支持装置。
【請求項６】
上記シャフト挿通部が挿通するウッドクラブまたはアイアンクラブのシャフトを当接させてシャフトの揺動を阻止する当接部を備える請求項１、請求項２、請求項３、請求項４または請求項５に記載の支持装置。
【請求項７】
逆さにしたウッドクラブのシャフトを上記シャフト挿通部に挿通してヘッドを上記一方支持部に支持させたときにヘッドのソールが上方を向き、逆さにしたアイアンクラブのシャフトを上記シャフト挿通部に挿通してヘッドを上記他方支持部に支持させたときにヘッドのバックフェースが上記アーム部材の先端側を向く請求項１、請求項２、請求項３、請求項４、請求項５または請求項６に記載の支持装置。
【発明の詳細な説明】
【技術分野】
【０００１】
本発明は、支持装置に関し、特に、ゴルフクラブたるウッドクラブおよびアイアンクラブのいずれの吊持も可能にする支持装置に関する。
【背景技術】
【０００２】
ゴルフクラブを吊持する支持装置としては、従来から、種々の提案があるが、その中で、たとえば、特許文献１に開示の提案にあっては、支持装置がゴルフクラブを逆さに吊持するフック部材と、このフック部材を一つまたは複数連結するアーム部材とを備える。
【０００３】
アーム部材は、硬質材で所定の長さを備える細幅長尺の板状に形成されて自己支持性を備え、たとえば、基端を支柱や横架材などの他部に連結して先端が水平に延びる態勢におかれ、フック部材を着脱自在に連結する。
【０００４】
ちなみに、アーム部材は、細幅長尺となる板面を側方に向けるいわゆる立てた状態に維持されるが、基端がブラケットを介して他部に連結されることがあり、また、先端が基端より低くされて前傾状態に維持されることがある。
【０００５】
フック部材は、アーム部材に比較すれば弾性を有する軟質材で形成されて、アーム部材を着脱自在に連結させる連結部を備える一方で、上端部にヘッドを上にしグリップを下にする逆さにした状態のゴルフクラブのヘッドを離着座自在に着座させるヘッド支持部を備え、下方部にヘッド支持部に連続して下方に向けて延設されゴルフクラブのシャフトを挿通させるシャフト挿通部を備える。
【０００６】
ヘッド支持部は、逆さになるゴルフクラブのヘッドを下から支え、シャフト挿通部は、逆さになるゴルフクラブのシャフトのヘッドに近い部分およびまたはヘッドからやや離れる先端部を当接させるようにして、シャフトが振れることを阻止する。
【０００７】
それゆえ、上記した特許文献１に開示の支持装置によれば、アーム部材に連結されたフック部材にゴルフクラブを逆さに吊持させることで、ゴルフクラブの展示が可能になり、また、フック部材を適宜間隔でアーム部材に複数連結させることで、番手が異なるなどの複数のゴルフクラブを整列状態に展示することが可能になる。
【先行技術文献】
【特許文献】
【０００８】
【特許文献１】特許第４３３４２６９号公報
【発明の概要】
【発明が解決しようとする課題】
【０００９】
上記した特許文献１に開示の支持装置にあっては、アーム部材に連結された複数のフック部材にそれぞれ逆さにしたゴルフクラブを吊持させることで、種類が異なるなどの複数のゴルフクラブを整列状態に支持し得るが、利用の実際を勘案すると、いささかの不具合があると、指摘される可能性がある。
【００１０】
すなわち、特許文献１に開示の支持装置にあって、フック部材は、ゴルフクラブたるウッドクラブを吊持するためのもの、つまり、ウッドクラブ用と、同じくゴルフクラブたるアイアンクラブを吊持するためのもの、つまり、アイアンクラブ用とが別々に形成される。そのため、フック部材の絶対数が「２」となり、フック部材の総数を多くする不具合が懸念される。
【００１１】
一方、ウッドクラブのヘッド（要するときに、ウッドヘッドと称する）は、言わば握り拳状に形成され、対するアイアンクラブのヘッド（要するときに、アイアンヘッドと称する）は、言わばへら状に形成されるから、ヘッドのフェースと、バックフェースとの間の肉厚寸法が言わば極端に大小することになる。
【００１２】
このことからすると、アイアンヘッドを着座させる断面Ｕ字状またはＶ字状に形成されるヘッド支持部にウッドヘッドを着座させる、つまり、アイアンクラブ用のフック部材にウッドクラブを吊持させるのは、不自然であるので、回避されるであろう。
【００１３】
対して、ウッドヘッドを着座させるヘッド支持部は、アイアンヘッドを着座させるヘッド支持部に比較すれば、断面を浅い凹状にするように形成されるから、アイアンヘッドの着座を妨げない、つまり、ウッドクラブ用のフック部材にアイアンクラブを吊持させることが可能になり、兼用が可能になる。そして、兼用を可能にする観点からすれば、ウッドクラブ用のフック部材だけにしてフック部材の絶対数を「１」にし、フック部材の総数を多くすることを避けられる。
【００１４】
しかし、ウッドヘッドを着座させるヘッド支持部にアイアンヘッドを着座させる場合には、アイアンヘッドが安定し難くなり、したがって、アーム部材に保持されて整列されたウッドクラブ用の複数のフック部材にそれぞれアイアンクラブを吊持させる場合には、アイアンヘッドの向きが区々になり易くなる。
【００１５】
そのため、たとえば、展示中のアイアンクラブをゴルフ愛好者などが手に取るなどしてから元に戻すとき、ヘッドの向きが区々になり、アイアンクラブの整列させた展示状態における美観を悪くすることが懸念される。
【００１６】
本発明は、上記した事情を鑑みて創案されたものであって、その目的とするところは、展示物たるウッドクラブおよびアイアンクラブの吊持を可能にし得てフック部材の絶対数を少なくすると共に、ウッドクラブまたはアイアンクラブの整列させた展示状態における美観の維持を可能にする支持装置を提供することである。
【課題を解決するための手段】
【００１７】
上記した目的を達成するために、本発明の構成を、ゴルフクラブを吊持するフック部材と、このフック部材を一つまたは複数着脱自在に保持するアーム部材とを備える支持装置において、上記フック部材は、上記アーム部材を着脱自在に連結させる連結部を備える一方で、上端部にウッドクラブのヘッドまたはアイアンクラブのヘッドのいずれか一方を支持する一方支持部と、ウッドクラブのヘッドまたはアイアンクラブのヘッドのいずれか他方を支持する他方支持部とを備え、下方部に上記一方支持部および上記他方支持部に連続して下方に向けて延設されてウッドクラブのシャフトまたはアイアンクラブのシャフトを挿通させるシャフト挿通部を備えるとするものである。
【発明の効果】
【００１８】
アーム部材に保持されたフック部材のシャフト挿通部にウッドクラブのシャフトを挿通すると共にウッドクラブのヘッドを、たとえば、一方支持部に支持させることで、または、フック部材のシャフト挿通部にアイアンクラブのシャフトを挿通すると共にヘッドを、たとえば、他方支持部に支持させることで、ウッドクラブおよびアイアンクラブのいずれかの選択したゴルフクラブの吊持が可能になる。
【００１９】
そして、フック部材において、一方支持部または他方支持部のいずれか一方における軸線方向がアーム部材の軸線方向に沿うように設定される場合には、この一方支持部または他方支持部に支持されるゴルフクラブのヘッドの軸線方向がアーム部材の軸線方向に沿うことになり、ヘッドのソールがアーム部材の軸線方向に沿った状態で上方を向くことになる。
【００２０】
対して、一方支持部または他方支持部のいずれか他方における軸線方向がアーム部材の軸線方向を横切るように設定される場合には、この一方支持部または他方支持部に支持されるゴルフクラブのヘッドの軸線方向がアーム部材の軸線方向を横切ることになり、ヘッドのバックフェースがアーム部材の先端側を向くことになる。
【００２１】
この場合、アーム部材が先端を基端より下げる前傾姿勢になるように設けられる場合には、このアーム部材に保持される複数のフック部材がアーム部材の先端から基端に向かって登り階段状に整列することになる。
【００２２】
その結果、本発明の支持装置によれば、フック部材に吊持されたゴルフクラブのソールが、または、ゴルフクラブのバックフェースが見る者をして見易くなると共に、複数となるゴルフクラブのソールまたはバックフェースが一定方向を向いた整列状態になり、美観を良くする。
【図面の簡単な説明】
【００２３】
【図１】本発明の一実施形態に係わる支持装置にウッドクラブを逆さに吊持した状態を示す斜視図である。
【図２】本発明の一実施形態に係わる支持装置におけるフック部材にアイアンクラブを逆さに吊持した状態を示す斜視図である。
【図３】本発明の一実施形態に係わる支持装置におけるフック部材を一方向から見た状態を示す斜視面である。
【図４】本発明の一実施形態に係わる支持装置におけるフック部材を他方向から見た状態を示す斜視面である。
【図５】フック部材のシャフト挿通部をゴルフクラブのシャフトが挿通している状態を示す平面図である。
【発明を実施するための形態】
【００２４】
以下に、図示した実施形態に基づいて、本発明を説明するが、本発明による支持装置は、たとえば、店舗において、顧客に向けてゴルフクラブを陳列する場合、または、展示会場において、来場者に向けてゴルフクラブを展示する場合の利用に向く。
【００２５】
そのため、この支持装置は、図１および図２に示すように、ゴルフクラブを逆さに吊持するフック部材Ｆと、このフック部材Ｆを一つ又は複数整列させて着脱自在に連結させるアーム部材Ａとを備える。
【００２６】
そして、この支持装置において、フック部材Ｆは、図３および図４にも示すように、アーム部材Ａを着脱自在に連結させる連結部１を備える一方で、一方支持部たるウッドヘッド支持部２および他方支持部たるアイアンヘッド支持部３を備え、さらに、シャフト挿通部４を備える。
【００２７】
先ず、アーム部材Ａは、図示するところでは、硬質材で所定の長さを備える細幅長尺の板状に形成されて自己支持性を備え、基端が、たとえば、棚や台などを形成する他部たる横架材Ｂ（図１参照）に垂直に連結されるとしている。
【００２８】
そして、このアーム部材Ａは、図示するところでは、先端が基端より下がるいわゆる前傾状態に設けられ、一つまたは複数のフック部材Ｆを着脱自在に保持する。なお、アーム部材Ａは、図示しないが、先端が基端と同レベルで延びて水平状態に設けられるとしても良い。
【００２９】
アーム部材Ａの基端を横架材Ｂに連結する構造については、任意の構造が選択されて良いが、複数のフック部材Ｆを保持しても、さらには、複数のフック部材Ｆにそれぞれゴルフクラブを吊持させても、安定した保持状態を維持できる限りには、たとえば、ブラケットＢ１（図１参照）を介するなどして分離可能に連結されるのが良い。
【００３０】
アーム部材Ａの基端が横架材ＢにブラケットＢ１を介するなどして分離可能に連結される場合には、アーム部材Ａを横架材Ｂから分離して、アーム部材Ａに対するフック部材Ｆの着脱作業を作業者の好ましい体勢でなし得る点で有利になる。
【００３１】
なお、アーム部材Ａは、フック部材Ｆの保持を可能にする限りには任意に形成されて良いが、図示するようにいわゆる立てた状態にしたときに脇を向くことになる細幅長尺の側面Ａ１への、たとえば、ゴルフクラブのブランド名や宣伝のための文字などの表示を可能にするのが良い。また、アーム部材Ａは、内部に芯金を備えたり、上下辺にリブ状部を備えたりして、上下方向はもちろんのこと、水平方向の曲げ強度を向上させるとしても良い。
【００３２】
次に、フック部材Ｆは、アーム部材Ａに比較すれば弾性に富む軟質材で形成されて、いわゆる本体部（符示せず）にアーム部材Ａの連結を許容する連結部１を備える一方で、本体部の上端部（符示せず）に一方支持部、つまり、図示するところでは、ウッドヘッド支持部２、および、他方支持部、つまり、図示するところでは、アイアンヘッド支持部３を備え、本体部の下方部（符示せず）にシャフト挿通部４を備える限りには、基本的には、任意に形成されて良い。
【００３３】
ちなみに、図示するところでは、フック部材Ｆが弾性に富む軟質材たる軟質合成樹脂材で形成されるとし、このフック部材Ｆへのゴルフクラブの吊持を繰り返しても、ゴルフクラブのヘッドやシャフトに傷付きを招来させないとしている。
【００３４】
順次説明すると、先ず、連結部１は、アーム部材Ａを着脱自在に連結させる限りには、たとえば、図示するように、本体部にアーム部材Ａの軸線方向に沿うように形成されてアーム部材Ａの挿通を許容する断面矩形の長孔１１からなるとしても良く、また、図示しないが、本体部に形成されて開口が本体部の側面、つまり、シャフト挿通部４を形成しない側面に開口する断面矩形の長溝からなるとしても良い。
【００３５】
ちなみに、アーム部材Ａが前記したように上下辺にリブ状部を有する場合には、連結部１は、単純な矩形断面を備えるように形成されるのに代えて、リブ状部を備える外形に倣う断面形状を備えるように形成されるとしても良い。
【００３６】
また、フック部材Ｆが、結果として、アーム部材Ａに着脱自在に保持される観点からすれば、連結部１については、図示しないが、本体部の側面に設けられて本体部の側面との間のアーム部材Ａを挟持する板ばね状体を備えてなるとしても良い。
【００３７】
一方、一方支持部とされるウッドヘッド支持部２は、座部２１（図３および図４参照）と、この座部２１に連続するようにして立ち上がるフェース当接部２２とを備え、座部２１にウッドクラブＷ（図１参照）のヘッドヘッドＷ１（図１参照）のクラウンＷ３（図１参照）部分を離着座自在に着座させ、フェース当接部２２に座部２１に着座するウッドヘッドＷ１のクラウンＷ３に連続するフェースＷ４（図１参照）部分を離脱可能に当接させる。
【００３８】
座部２１は、ウッドヘッドＷ１のクラウンＷ３部分を着座させることから、先ずは、逆さになるクラウンＷ３に倣う浅い凹状に形成される。そして、座部２１は、浅い凹状に形成されるとき、クラウンＷ３の全体に倣う広い凹状に形成されることを要しない。
【００３９】
つまり、ウッドヘッドＷ１のクラウンＷ３を座部２１に着座させるのには、座部２１にクラウンＷ４の言わば頂部を着座させることで足りるから、座部２１がウッドヘッドＷ１のクラウンＷ３に倣う浅い凹状に形成されることは必要であるが、クラウンＷ３の全体に倣う広い凹状に形成されなくても良いことになる。
【００４０】
そして、ウッドクラブＷのウッドヘッドＷ１のクラウンＷ３の形状については、たとえば、メーカーが一つのシリーズ名などを使う場合には、番手が異なるとしても同じ湾曲面形状にするのが一般的であるから、座部２１がクラウンＷ３の頂部の着座を許容するように形成されることで、番手が異なるウッドヘッドＷ１のクラウンＷ３の着座をも許容し得ることになる。
【００４１】
フェース当接部２２は、座部２１に連続するようにして立ち上り形成され、座部２１に着座したウッドヘッドＷ１のクラウンＷ３に連続するフェースＷ４部分を離脱可能に当接させる。
【００４２】
つまり、フェース当接部２２は、座部２１に着座した状態のウッドヘッドＷ１のフェースＷ４を当接させて、ウッドヘッドＷ１が座部２１上で転がるように動くことを阻止する。
【００４３】
このことからすると、フェース当接部２２は、ウッドヘッドＷ１のフェースＷ４全体を当接させる大きさを備えるように形成される必要はなく、フェースＷ４の一部、具体的には、フェースＷ４のクラウンＷ３に近くしてホーゼルＷ７（図１参照）に近くなる部位の当接を許容するように形成されれば足りる。
【００４４】
そして、ウッドクラブＷのフェースＷ４のクラウンＷ３に近くしてホーゼルＷ７に近くなる部位の形状については、上記したように、たとえば、メーカーが一つのシリーズ名などを使う場合には、番手が異なってロフト角が異なることになっても同じ形状にするのが一般的であるから、フェース当接部２２が１番となるのウッドヘッドＷ１のフェースＷ４のクラウンＷ３およびホーゼルＷ７に近い部位の当接を許容するように形成されることで、番手が異なるウッドヘッドＷ１のフェースＷ４部分の当接をも許容し得ることになる。
【００４５】
それゆえ、以上のように形成されるウッドヘッド支持部２は、座部２１およびフェース当接部２２を備えるから、ウッドクラブＷのウッドヘッドＷ１を座部２１によって下方から支持すると共に、座部２１に着座するウッドヘッドＷ１のフェースＷ４部分をフェース当接部２２に当接させて、ウッドクラブＷのウッドヘッドＷ１の安定した着座状態を具現化できることになる。
【００４６】
そして、このウッドヘッド支持部２にあっては、ウッドクラブＷをフック部材Ｆに吊持させるとき、ウッドヘッドＷ１を座部２１に着座させ、また、ウッドヘッドＷ１をフェース当接部２２に当接させるだけだから、このフック部材Ｆに吊持されたウッドクラブＷを、たとえば、顧客が手に取って見る場合に、その動作を容易になし得るようにすることになる。
【００４７】
ちなみに、ウッドヘッド支持部２の形成にあっては、座部２１がフェース当接部２２側に僅かに傾斜するように形成され、したがって、座部２１に着座するウッドヘッドＷ１のフェースＷ４がフェース当接部２２側に僅かに倒れるようになり、その結果、座部２１に着座するウッドヘッドＷ１がフェース当接部２２に軽く寄り掛かるような態勢になり、ウッドヘッドＷ１が座部２１でフェース当接部２２の反対側で転がるような状態になることが積極的に阻止されて、ウッドヘッドＷ１の座部２１上での姿勢が安定され易くなるように配慮するのが好ましい。
【００４８】
また、ウッドヘッド支持部２の形成に際しては、フェース当接部２２のいわゆる上方への突出高さを可能限りに低くすることが好ましく、フェース当接部２２の突出高さを可能限りに低くすることで、フック部材Ｆを形成する素材の量を減らして部品コストの高騰化を阻止できるのはもちろんのこと、ロフト角が異なるウッドヘッドＷ１のフェースＷ４のクラウンＷ３およびホーゼルＷ７に近い部位のフェース当接部２２に対する当接を確実に保障し得ることになる。
【００４９】
ところで、以上のように形成される一方支持部たるウッドヘッド支持部２は、図示するところにあって、座部２１、つまり、座部２１に着座するウッドクラブＷのウッドヘッドＷ１における軸線方向をアーム部材Ａの軸線方向に沿う方向にするとしており、したがって、ウッドヘッド支持部２に支持されるウッドヘッドＷ１のソールＷ６が上方を向くようになる（図１参照）。
【００５０】
そして、アーム部材Ａに複数のフック部材Ｆを保持させる場合には、また、アーム部材Ａが先端を基端より低くして前傾状態に維持される場合には、複数のフック部材Ｆがアーム部材Ａの先端から基端に向けて登り階段状に整列することになり、各フック部材ＦにウッドクラブＷを番手の順に吊持することで、複数のウッドクラブＷのウッドヘッドＷ１の向きが同じになり、整列された外観を呈させることが可能になり、また、その状態を維持することが可能になる。
【００５１】
次に、他方支持部とされるアイアンヘッド支持部３は、座部３１（図３および図４参照）と、この座部３１に連続するようにして立ち上がるバックフェース当接部３２とを備え、座部３１にアイアンクラブＳ（図２参照）のアイアンヘッドＳ１（図２参照）のトップラインＳ３（図２参照）部分を離着座自在に着座させ、バックフェース当接部３２に座部３１に着座するアイアンヘッドＳ１のトップラインＳ３に連続するバックフェースＳ５（図２参照）部分を離脱可能に当接させる。
【００５２】
座部３１は、アイアンヘッドＳ１のトップラインＳ３部分を着座させることから、先ずは、逆さになるトップラインＳ３に倣う断面をＵ字状またはＶ字状にする線状溝状に形成される。そして、座部３１は、断面をＵ字状またはＶ字状にする線状溝状に形成されるとき、トップラインＳ３の全体に倣う長い線状溝状に形成されることを要しない。
【００５３】
つまり、アイアンヘッドＳ１のトップラインＳ３を座部３１に着座させるのには、座部３１にトップラインＳ３の一部を着座させることで足りるから、座部３１がアイアンヘッドＳ１のトップラインＳ３に倣う断面をＵ字状またはＶ字状にする線状溝状に形成されることは必要であるが、トップラインＳ３の全体に倣う長い線状溝状に形成されなくても良いことになる。
【００５４】
そして、アイアンクラブＳのアイアンヘッドＳ１のトップラインＳ３の形状については、たとえば、メーカーが一つのシリーズ名などを使う場合には、番手が異なるとしても同じ形状にするのが一般的であるから、座部３１がトップラインＳ３の着座を許容するように形成されることで、番手が異なるアイアンヘッドＳ１のトップラインＳ３の着座をも許容し得ることになる。
【００５５】
バックフェース当接部３２は、座部３１に連続するようにして立ち上り形成され、座部３１に着座したアイアンヘッドＳ１のトップラインＳ３に連続するバックフェースＳ５部分を離脱可能に当接させる。
【００５６】
つまり、バックフェース当接部３２は、座部３１に着座した状態のアイアンヘッドＳ１のバックフェースＳ５を当接させて、アイアンヘッドＳ１が座部３１上で転倒するように動くことを阻止する。
【００５７】
このことからすると、バックフェース当接部３２は、アイアンヘッドＳ１のバックフェースＳ５全体を当接させる大きさを備えるように形成される必要はなく、バックフェースＳ５の一部、具体的には、バックフェースＳ５のトップラインＳ３に近くしてホーゼルＳ７（図２参照）に近くなる部位の当接を許容するように形成されれば足りる。
【００５８】
そして、アイアンクラブＳのバックフェースＳ５のトップラインＳ３に近くしてホーゼルＳ７に近くなる部位の形状については、上記したように、たとえば、メーカーが一つのシリーズ名などを使う場合には、番手が異なるとしても同じ形状にするのが一般的であるから、バックフェース当接部３２が１番となるのアイアンヘッドＳ１のバックフェースＳ５のトップラインＳ３およびホーゼルＳ７に近い部位の当接を許容するように形成されることで、番手が異なるアイアンヘッドＳ１のバックフェースＳ５部分の当接をも許容し得ることになる。
【００５９】
それゆえ、以上のように形成されたアイアンヘッド支持部３は、座部３１およびバックフェース当接部３２を備えるから、アイアンクラブＳのアイアンヘッドＳ１を座部３１によって下方から支持すると共に、座部３１に着座するアイアンヘッドＳ１のバックフェースＳ５部分をバックフェース当接部３２に当接させて、アイアンクラブＳのアイアンヘッドＳ１の安定した着座状態を具現化できることになる。
【００６０】
そして、このアイアンヘッド支持部３にあっては、アイアンクラブＳをフック部材Ｆに吊持させるとき、アイアンヘッドＳ１を座部３１に着座させ、また、アイアンウヘッドＳ１をバックフェース当接部３２に当接させるだけだから、このフック部材Ｆに吊持されたアイアンクラブＳを、たとえば、顧客などが手に取って見る場合に、その動作を容易になし得るようにすることになる。
【００６１】
ちなみに、アイアンヘッド支持部３の形成にあっては、座部３１がバックフェース当接部３２側に僅かに傾斜するように形成し、したがって、座部３１に着座するアイアンヘッドＳ１のバックフェースＳ５がバックフェース当接部３２側に僅かに倒れるようになり、その結果、座部３１に着座するアイアンヘッドＳ１がバックフェース当接部３２に軽く寄り掛かるような態勢になり、アイアンヘッドＳ１が座部３１でバックフェース当接部３２の反対側に倒れるような状態になることが積極的に阻止されて、アイアンヘッドＳ１の座部３１上での姿勢が安定され易くなるように配慮するのが好ましい。
【００６２】
また、アイアンヘッド支持部３の形成に際しては、バックフェース当接部３２のいわゆる上方への突出高さを可能限りに低くすることが好ましく、バックフェース当接部３２の突出高さを可能限りに低くすることで、フック部材Ｆを形成する素材の量を減らして部品コストの高騰化を阻止できるのはもちろんのこと、ロフト角が異なるアイアンヘッドＳ１のバックフェースＷ５のトップラインＳ３およびホーゼルＳ７に近い部位のバックフェース当接部３２に対する当接を確実に保障し得ることになる。
【００６３】
ところで、以上のように形成される他方支持部たるアイアンヘッド支持部３は、図示するところにあって、座部３１、つまり、座部３１に着座するアイアンクラブＳのアイアンヘッドＳ１における軸線方向をアーム部材Ａの軸線方向を横切る方向、つまり、アーム部材Ａの軸線方向に直交する方向としており、したがって、アイアンヘッド支持部３に吊持されるアイアンヘッドＳ１のバックフェースＳ５がアーム部材Ａの先端側を向くようになる（図２参照）。
【００６４】
そして、前記したように、アーム部材Ａに複数のフック部材Ｆを保持させる場合には、また、アーム部材Ａが先端を基端より低くして前傾状態に維持される場合には、複数のフック部材Ｆがアーム部材Ａの先端から基端に向けて登り階段状に整列することになる。
【００６５】
したがって、上記の状態のときに、各フック部材ＦにアイアンクラブＳを番手の順に吊持することで、複数のアイアンクラブＳのアイアンヘッドＳ１の向きが同じになり、整列された外観を呈させることが可能になり、また、その状態を維持することが可能になる。
【００６６】
シャフト挿通部４は、本体部の下方部に上記のウッドヘッド支持部２および上記のアイアンヘッド支持部３に連続して下方に向けて延設されてウッドクラブＷのシャフトＷ２、または、アイアンクラブＳのシャフトＳ２を挿通させる内側通路（符示せず）を備える平面視でかぎ状を呈する（図５参照）ように形成される。
【００６７】
以下に、このシャフト挿通部４について説明するが、シャフトがこのシャフト挿通部４を挿通する状況は、ウッドクラブＷの場合もアイアンクラブＳの場合と同様になるので、図５に示すところにあっては、アイアンクラブＳをフック部材Ｆに吊持した状態を例にして説明する。
【００６８】
シャフト挿通部４は、図５に示すように、内側通路を挿通するアイアンクラブＳのシャフトＳ２を当接させる当接部（符示せず）を備え、この当接部にシャフトＳ２が当接することで、シャフトＳ２の揺動を阻止し、結果として、上記アイアンヘッド支持部３に支持されるヘッドＳ１の安定した着座状態を維持する。
【００６９】
つまり、本発明の支持装置にあって、フック部材Ｆは、逆さにしたゴルフクラブを吊持するので、シャフトをフック部材Ｆの言わば下方に垂下させ、ヘッドをいわゆる上に持ってくるようにして、逆さにしたゴルフクラブのヘッドを見る者をして見易くする。そのために、シャフト挿通部４にあっては、先ずは、内側通路がシャフトの基端部となるグリップおよびこのグリップを備えるシャフトの挿通を許容する広さを備えるように形成される。
【００７０】
そして、シャフト挿通部４は、本発明の支持装置にあって、一方支持部と他方支持部の両方に連続するように、一箇所として設けられ、したがって、一方支持部にのみに連続する一箇所と他方支持部にのみ連続する他の一箇所との計二箇所になることがなく、フック部材Ｆを大型化せず、コンパクトにして、利便性を向上させている。
【００７１】
戻って、シャフト挿通部４は、内側通路にあって、当接部にシャフトを当接させて、内側通路に挿通されるシャフトが僅かな外力の入力、たとえば、アーム部材Ａの振動で、シャフトが簡単に揺動し得ないようにして、ゴルフクラブのヘッドがいたずらに動くようになったり、倒れるようになったりすることを阻止するとする。
【００７２】
そのために、シャフト挿通部４は、図示するところでは、当接部として、内側通路を挿通する、アイアンクラブＳのシャフトＳ２のヘッドＳ１に近隣する部位（符示せず）をいわゆる横方向から当接させる上方当接部４１（図４および図５参照）と、シャフトＳ２のヘッドＳ１から離れる先端部（符示せず）を同じく横方向から当接させる下方当接部４２（図４および図５参照）とを備えるとする。
【００７３】
シャフトＳ２が上方当接部４１および下方当接部４２に当接される、つまり、上下となる二点に当接されることで、二点支持状態が具現化されることになり、シャフトＳ２がシャフト挿通部４でいたずらに揺動しないようにすることが可能になる。
【００７４】
一方、図示するシャフト挿通部４にあっては、アイアンクラブＳをフック部材Ｆに吊持させた態勢のときに、ある程度大きな外力の入力、たとえば、地震で横架材Ｂを含めてアーム部材Ａが横方向に大きく振動する場合にも、いわゆる整列状態を継続させて美観を維持できるように配慮している。
【００７５】
つまり、シャフト挿通部４は、基本的には、上記したように、アイアンクラブＳのシャフトＳ２を当接させる当接部を備えるから、シャフト挿通部４におけるシャフトＳ２の安定状態を容易に具現化できる。
【００７６】
しかし、このシャフトの安定状態は、ヘッド支持部に座部に着座するヘッドが簡単に転動するようになったり、または、簡単に転倒するようになったりするのを阻止するだけだから、たとえば、地震などによるアーム部材Ａの大きな振動の際にも、シャフトが簡単に揺動し得ないようにして、ゴルフクラブのヘッドが動いたり、倒れたりすることを阻止するのが好ましいことになる。
【００７７】
そこで、本発明では、図５に示すように、シャフト挿通部４が下方当接部４２を備える部位に、つまり、下方当接部４２に連続してシャフトを巻き込む態勢になるフック片部４３を備え、このフック片部４３にシャフトＳ２を言わば強制的に干渉させるとする。
【００７８】
言い換えると、シャフト挿通部４を挿通するシャフトＳ２が上方当接部４１に当接する一方で、下方当接部４２に連続して弾性を具有するフック片部４３に当接し、シャフトＳ２がシャフト挿通部４から横方向の外に飛び出すように離脱することがないようにしている。
【００７９】
これによって、アイアンクラブＳのシャフトＳ２がシャフト挿通部４で絶対的に静止状態に維持されることになり、したがって、座部３１に着座するヘッドＳ１が倒れるようになって、いわゆる位置ずれし、整列状態の美観を損ねるようになることが効果的に阻止されることになる。
【００８０】
以上からすると、シャフト挿通部４が備える当接部は、上記のフック片部４３に変えられるとしても良い。つまり、本発明の支持装置にあって、たとえば、アイアンヘッド支持部３は、座部３１に着座するアイアンヘッドＳ１のバックフェースＳ５が当接するバックフェース当接部３２を備えるから、このバックフェース当接部３２と下方のフック片部４３とでゴルフクラブを二点支持することが可能になり、ゴルフクラブを安定した吊持状態に維持できることになる。
【００８１】
なお、本発明にあって、フック部材Ｆは、軟質材、たとえば、軟質合成樹脂材で形成されるとするから、上記のフック片部４３にシャフトＷ２，Ｓ２を当接させるようにするとき、フック片部４３に弾性を具有させることは容易になる。
【００８２】
以上のように形成されたこの発明の支持装置にあっては、以下のようにして、その利用が可能になる。先ず、他部に基端が連結されているアーム部材Ａにフック部材Ｆを好ましくは複数保持させる。
【００８３】
アーム部材Ａの基端が他部に対してブラケットＢ１を利用するなどして分離可能に連結されている場合には、他部から分離されたアーム部材Ａにフック部材Ｆを連結するのが良く、この場合には、作業者が好ましい体勢で複数のフック部材Ｆをアーム部材Ａに保持させることができる。
【００８４】
以上のようにしてアーム部材Ａに設けられているフック部材Ｆに、代表として、たとえば、ウッドクラブＷを吊持させるとすると、その場合には、逆さにしたウッドクラブＷのシャフトＷ２をシャフト挿通部４に挿通してウッドクラブＷを下降させる。
【００８５】
そして、一方支持部たるウッドヘッド支持部２の座部２１にウッドヘッドＷ１を着座させ、ウッドヘッドＷ１のフェースＷ４を座部２１に連続するフェース当接部２２に当接させる。
【００８６】
その際に、ウッドクラブＷのシャフトＷ２は、シャフト挿通部４にあって、このシャフト挿通部４に設けられている当接部に当接して、シャフトＷ２のシャフト挿通部４での揺動を阻止し、ウッドヘッドＷ１の座部２１への着座性を向上させる。
【００８７】
そして、アーム部材Ａに保持された複数のフック部材ＦにそれぞれウッドクラブＷを吊持させることで、複数のウッドヘッドＷ１を整列された状態に維持することが可能になり、ウッドクラブＷの展示状態における美観を得られると共に、美観の維持を可能にする。このことは、ウッドクラブＷに代えてアイアンクラブＳをフック部材Ｆに吊持させる場合にも共通する。
【００８８】
以上で、本発明における基本的な構成についての説明を終えるが、本発明が意図するウッドクラブＷまたはアイアンクラブＳの整列させた展示状態における美観の維持の観点からすれば、前記したところでは、一方支持部がウッドクラブＷのウッドヘッドＷ１を支持する支持部に設定されたが、これに代えて、アイアンクラブＳのアイアンヘッドＳ１を支持する支持部に設定されても良く、逆に、他方支持部がアイアンクラブＳのアイアンヘッドＳ１を支持する支持部に設定されたが、これに代えて、ウッドクラブＷのウッドヘッドＷ１を支持する支持部に設定されても良いと言える。
【００８９】
また、前記したところでは、フック部材Ｆに吊持されるウッドクラブＷのウッドヘッドＷ１の軸線方向がフック部材Ｆを保持するアーム部材Ａの軸線方向に沿うとしたが、これに代えて、図示しないが、フック部材Ｆに吊持されるウッドクラブＷのウッドヘッドＷ１の軸線方向がアーム部材Ａの軸線方向に横切る方向、つまり、直交する方向になるとしても良く、また、同様に、フック部材Ｆに吊持されるアイアンクラブＳのアイアンヘッドＳ１の軸線方向がフック部材Ｆを保持するアーム部材Ａの軸線方向に直交する方向になるとしたが、これに代えて、図示しないが、フック部材Ｆに吊持されるアイアンクラブＳのアイアンヘッドＳ１の軸線方向がアーム部材Ａの軸線方向に沿うようになるとしても良いと言える。
【００９０】
そして、前記したところでは、フック部材Ｆは、一方支持部たるウッドヘッド支持部２と、他方支持部たるアイアンヘッド支持部３とが互いに軸線方向を直交させるようにして、言わば離れるように設けられるとしたが、本発明が意図する展示物たるウッドクラブＷおよびアイアンクラブＳの吊持を可能にしてフック部材Ｆの絶対数を少なくする観点からすれば、これに代えて、図示しないが、同一軸線上に設けられるとしても良い。
【００９１】
つまり、ウッドヘッドＷ１を着座させる座部にアイアンヘッドＳ１を着座させる座部を重ねて作るとしても良く、この場合にも、フック部材ＦにウッドヘッドＷ１を備えるウッドクラブＷを吊持させるか、または、フック部材ＦにアイアンヘッドＳ１を備えるアイアンクラブＳを吊持させるかの選択が可能になる。
【符号の説明】
【００９２】
１  連結部
２  一方支持部たるウッドヘッド支持部
３  他方支持部たるアイアンヘッド支持部
４  シャフト挿通部
１１  孔
２１，３１  座部
２２  フェース当接部
３２  バックフェース当接部
４１  当接部たる上方当接部
４２  当接部たる下方当接部
Ａ  アーム部材
Ｂ  他部たる横架材
Ｂ１  ブラケット
Ｆ  フック部材
Ｓ  ゴルフクラブたるアイアンクラブ
Ｓ１  ヘッド（アイアンヘッド）
Ｓ２，Ｗ２  シャフト
Ｓ３  トップライン
Ｓ４，Ｗ４  フェース
Ｓ５，Ｗ５  バックフェース
Ｓ６，Ｗ６  ソール
Ｗ  ゴルフクラブたるウッドクラブ
Ｗ１  ヘッド（ウッドヘッド）
Ｗ３  クラウン
【図１】
2014144056.tif 000003
【図２】
2014144056.tif 000004
【図３】
2014144056.tif 000005
【図４】
2014144056.tif 000006
【図５】
2014144056.tif 000007